【手続補正書】
【提出日】平成26年5月28日(2014.5.28)
【手続補正１】
【補正対象書類名】特許請求の範囲
【補正対象項目名】全文
【補正方法】変更
【補正の内容】
【特許請求の範囲】
【請求項１】
符号化対象画像の近傍にある第一の近傍画像の第一のイントラ予測モードと、第二の近傍画像の第二のイントラ予測モードとは等しいか否かと、第一のイントラ予測モードまたは第二のイントラ予測モードは平面予測であるか否かとによって、前記符号化対象画像の複数のイントラ予測モードの候補を選択する選択部と、
前記選択部によって選択された候補の中から選択された予測モードを用いて、イントラ予測を行うイントラ予測部と、
前記符号化対象画像を符号化する符号化部と、
を備える画像処理装置。
【請求項２】
前記複数のイントラ予測モードの候補は、前記第一のイントラ予測モードを含む請求項１に記載の画像処理装置。
【請求項３】
前記複数のイントラ予測モードの候補は、前記第二のイントラ予測モードを含む請求項１または２に記載の画像処理装置。
【請求項４】
前記複数のイントラ予測モードの候補の数は3である請求項１ないし３のいずれか一つに記載の画像処理装置。
【請求項５】
前記選択部は、前記第一のイントラ予測モードと、前記第二のイントラ予測モードとが等しくなく、前記第一のイントラ予測モードと、前記第二のイントラ予測モードとが平面予測ではない場合、前記複数のイントラ予測モードの候補を前記第一のイントラ予測モードと、前記第二のイントラ予測モードと、平面予測とにする請求項４に記載の画像処理装置。
【請求項６】
前記符号化部は、前記選択された予測モードを表すパラメータと、前記符号化された画像を含むビットストリームを生成する請求項１ないし５のいずれか一つに記載の画像処理装置。
【請求項７】
前記符号化部は、選択された予測モードが前記第一のイントラ予測モードの場合に、前記パラメータを０とし、
選択された予測モードが前記第二のイントラ予測モードの場合に、前記パラメータを１とし、
選択された予測モードが平面予測の場合に、前記パラメータを２とする
請求項６に記載の画像処理装置。
【請求項８】
前記選択部は、前記第一のイントラ予測モードと、前記第二のイントラ予測モードとが等しくなく、前記第一のイントラ予測モードまたは前記第二のイントラ予測モードが平面予測の場合、前記第一のイントラ予測モードと、前記第二のイントラ予測モードとがＤＣ予測であるかによって、前記符号化対象画像の複数のイントラ予測モードの候補を選択する請求項１に記載の画像処理装置。
【請求項９】
前記選択部は、前記第一のイントラ予測モードと、前記第二のイントラ予測モードとがＤＣ予測でない場合、前記複数のイントラ予測モードの候補を、前記第一のイントラ予測モードと、前記第二のイントラ予測モードと、ＤＣモードとにする請求項７に記載の画像処理装置。
【請求項１０】
前記イントラ予測部は、前記符号化された画像を含むビットストリームから得られたパラメータを用いて、前記予測モードを選択する請求項１ないし９のいずれか一つに記載の画像処理装置。
【請求項１１】
前記符号化部は、
前記選択された予測モードが前記第一のイントラ予測モードの場合に、前記パラメータを０とし、
前記選択された予測モードが前記第二のイントラ予測モードの場合に、前記パラメータを１とし、
前記選択された予測モードが前記第二のイントラ予測モードの場合に、ＤＣ予測を選択する
請求項１０に記載の画像処理装置。
【請求項１２】
前記選択部は、前記第一のイントラ予測モードまたは前記第二のイントラ予測モードがＤＣ予測である場合、前記複数のイントラ予測モードの候補を、前記第一のイントラ予測モードと、前記第二のイントラ予測モードと、垂直方向予測とにする請求項１または７に記載の画像処理装置。
【請求項１３】
前記イントラ予測部は、前記符号化された画像を含むビットストリームから得られたパラメータを用いて、前記予測モードを選択する請求項１２に記載の画像処理装置。
【請求項１４】
前記符号化部は、
前記選択された予測モードが前記第一のイントラ予測モードの場合に、前記パラメータを０とし、
前記選択された予測モードが前記第二のイントラ予測モードの場合に、前記パラメータを１とし、
前記選択された予測モードが前記第二のイントラ予測モードの場合に、垂直方向予測を選択する
請求項１０または１１に記載の画像処理装置。
【請求項１５】
前記符号化対象画像の複数のイントラ予測モードの候補は、最確モード（most probable mode）のイントラ予測モードである請求項７または１１または１４に記載の画像処理装置。
【請求項１６】
前記第一の近傍画像は、前記符号化対象画像の左に隣接する画像である請求項７または１１または１４に記載の画像処理装置。
【請求項１７】
前記第二の近傍画像は、前記符号化対象画像の上に隣接する画像である請求項７ないし１６のいずれか一つに記載の画像処理装置。
【請求項１８】
前記隣接する画像は、ブロックである請求項１７に記載の画像処理装置。
【請求項１９】
前記ブロックは、Transform Unitである請求項１８に記載の画像処理装置。
【請求項２０】
前記ブロックは、Prediction Unitである請求項１８に記載の画像処理装置。
【請求項２１】
画像処理装置において、イントラ予測を用いた符号化方法であって、
符号化対象画像の近傍にある第一の近傍画像の第一のイントラ予測モードと、第二の近傍画像の第二のイントラ予測モードとは等しいか否かと、第一のイントラ予測モードまたは第二のイントラ予測モードは平面予測であるか否かとによって、前記符号化対象画像の複数のイントラ予測モードの候補を選択するステップと、
前記選択するステップにおいて選択された候補の中から選択された予測モードを用いて、イントラ予測を行うステップと、
前記符号化対象画像を符号化するステップと、
を含む方法。
【請求項２２】
前記複数のイントラ予測モードの候補は、前記第一のイントラ予測モードを含む請求項２１に記載の方法。
【請求項２３】
前記複数のイントラ予測モードの候補は、前記第二のイントラ予測モードを含む請求項２１または２２に記載の方法。
【請求項２４】
前記複数のイントラ予測モードの候補の数は3である請求項２１ないし２３のいずれか一つに記載の方法。
【請求項２５】
前記選択するステップは、前記第一のイントラ予測モードと、前記第二のイントラ予測モードとが等しくなく、前記第一のイントラ予測モードと、前記第二のイントラ予測モードとが平面予測ではない場合、前記複数のイントラ予測モードの候補を前記第一のイントラ予測モードと、前記第二のイントラ予測モードと、平面予測とにするステップを含む請求項２４に記載の方法。
【請求項２６】
前記符号化するステップは、前記選択された予測モードを表すパラメータと、前記符号化された画像を含むビットストリームを生成するステップを含む請求項２１ないし２５のいずれか一つに記載の方法。
【請求項２７】
前記符号化するステップは、選択された予測モードが前記第一のイントラ予測モードの場合に、前記パラメータを０とし、
選択された予測モードが前記第二のイントラ予測モードの場合に、前記パラメータを１とし、
選択された予測モードが平面予測の場合に、前記パラメータを２とするステップを含む
請求項２６に記載の方法。
【請求項２８】
前記選択するステップは、前記第一のイントラ予測モードと、前記第二のイントラ予測モードとが等しくなく、前記第一のイントラ予測モードまたは前記第二のイントラ予測モードが平面予測の場合、前記第一のイントラ予測モードと、前記第二のイントラ予測モードとがＤＣ予測であるかによって、前記符号化対象画像の複数のイントラ予測モードの候補を選択するステップを含む請求項２１に記載の方法。
【請求項２９】
前記選択するステップは、前記第一のイントラ予測モードと、前記第二のイントラ予測モードとがＤＣ予測でない場合、前記複数のイントラ予測モードの候補を、前記第一のイントラ予測モードと、前記第二のイントラ予測モードと、ＤＣモードとにするステップを含む請求項２７に記載の方法。
【請求項３０】
前記イントラ予測を行うステップは、前記符号化された画像を含むビットストリームから得られたパラメータを用いて、前記予測モードを選択するステップを含む請求項２１ないし２９のいずれか一つに記載の方法。
【請求項３１】
前記符号化するステップは、
前記選択された予測モードが前記第一のイントラ予測モードの場合に、前記パラメータを０とし、
前記選択された予測モードが前記第二のイントラ予測モードの場合に、前記パラメータを１とし、
前記選択された予測モードが前記第二のイントラ予測モードの場合に、ＤＣ予測を選択するステップを含む
請求項３０に記載の方法。
【請求項３２】
前記選択するステップは、前記第一のイントラ予測モードまたは前記第二のイントラ予測モードがＤＣ予測である場合、前記複数のイントラ予測モードの候補を、前記第一のイントラ予測モードと、前記第二のイントラ予測モードと、垂直方向予測とにするステップを含む請求項２１または２７に記載の方法。
【請求項３３】
前記イントラ予測を行うステップは、前記符号化された画像を含むビットストリームから得られたパラメータを用いて、前記予測モードを選択するステップを含む請求項３２に記載の方法。
【請求項３４】
前記符号化するステップは、
前記選択された予測モードが前記第一のイントラ予測モードの場合に、前記パラメータを０とし、
前記選択された予測モードが前記第二のイントラ予測モードの場合に、前記パラメータを１とし、
前記選択された予測モードが前記第二のイントラ予測モードの場合に、垂直方向予測を選択するステップを含む
請求項３０または３１に記載の方法。
【請求項３５】
前記符号化対象画像の複数のイントラ予測モードの候補は、最確モード（most probable mode）のイントラ予測モードである請求項２７または３１または３４に記載の方法。
【請求項３６】
前記第一の近傍画像は、前記符号化対象画像の左に隣接する画像である請求項２７または３１または３４に記載の方法。
【請求項３７】
前記第二の近傍画像は、前記符号化対象画像の上に隣接する画像である請求項２７ないし３６のいずれか一つに記載の方法。
【請求項３８】
前記隣接する画像は、ブロックである請求項３７に記載の方法。
【請求項３９】
前記ブロックは、Transform Unitである請求項３８に記載の方法。
【請求項４０】
前記ブロックは、Prediction Unitである請求項３８に記載の方法。
【請求項４１】
符号化対象画像の近傍にある第一の近傍画像の第一のイントラ予測モードと、第二の近傍画像の第二のイントラ予測モードとは等しいか否かと、第一のイントラ予測モードまたは第二のイントラ予測モードは平面予測であるか否かとによって、前記符号化対象画像の複数のイントラ予測モードの候補を選択するステップと、
前記選択するステップにおいて選択された候補の中から選択された予測モードを用いて、イントラ予測を行うステップと、
前記符号化対象画像を符号化するステップと、
を画像処理装置に実行させるためのコンピュータプログラム。